(57)【特許請求の範囲】
【請求項１】
端子収容室と、この端子収容室の挿入開口から内部に挿入された円筒状の接続部を有する端子と、前記端子収容室内に撓み可能に設けられ前記端子の円筒状の前記接続部を係止した係止ランスとを備えたコネクタであって、
前記端子には、円筒状の前記接続部の中心に対して点対称の位置にそれぞれ前記係止ランスに係合可能な一対の係止突起が設けられ、
前記端子収容室には、前記挿入開口の中心と前記係止ランスとを通る中心線の両側に線対称に設けられ、前記挿入開口側から前記係止ランス側に向けて傾斜する一対のガイドレールが設けられていることを特徴とするコネクタ。
【請求項２】
請求項１記載のコネクタであって、
前記一対のガイドレールは、それぞれ前記中心線と直交する交差線の両側に線対称に設けられ、
前記ガイドレールには、前記交差線の両側に位置するそれぞれの前記挿入開口側の端部が前記交差線上で交わる拾い部が設けられていることを特徴とするコネクタ。
【請求項３】
請求項２記載のコネクタであって、
前記一対のガイドレールは、前記挿入開口の中心に対して前記拾い部から前記係止ランス側に向けて前記端子収容室内を狭めるように傾斜されていることを特徴とするコネクタ。
【請求項４】
請求項２又は３記載のコネクタであって、
前記端子収容室には、前記係止ランスと前記挿入開口の中心に対して点対称の位置に前記端子の係止突起と係合可能なガイド溝が設けられ、
前記一対のガイドレールは、それぞれ前記ガイド溝に連続して設けられていることを特徴とするコネクタ。
【請求項５】
請求項２乃至４のいずれか１項に記載のコネクタであって、
前記一対のガイドレールの前記拾い部は、前記端子の前記端子収容室への挿入方向に対する位置が異なって配置されていることを特徴とするコネクタ。
【請求項６】
請求項１乃至５のいずれか１項に記載のコネクタであって、
前記端子収容室には、前記端子の前記係止ランスに係止された位置から前記端子収容室への挿入方向の移動を規制する規制部が設けられていることを特徴とするコネクタ。
【請求項７】
請求項１乃至６のいずれか１項に記載のコネクタであって、
前記端子は、前記端子収容室の前記挿入開口から引き出される電線の端末部に設けられ、
前記端子収容室の前記挿入開口側は、前記端子の前記一対の係止突起間の長さより広く形成されていることを特徴とするコネクタ。
【発明の詳細な説明】
【技術分野】
【０００１】
本発明は、コネクタに関する。詳細には、円筒状の接続部を有する端子が挿入される端子収容室を備えたコネクタに関する。
【背景技術】
【０００２】
従来、コネクタとしては、端子収容室と、この端子収容室の挿入開口から内部に挿入された円筒状の接続部を有する端子と、端子収容室内に挿入されるスペーサに設けられ端子の円筒状の接続部を係止した係合凸部とを備えたものが知られている（例えば、特許文献１参照）。
【０００３】
このコネクタでは、端子に、スペーサの係合凸部に係合される係合凹部と、スペーサのランスに押圧接触される回転方向姿勢制御部とが設けられている。
【０００４】
このようなコネクタでは、仮係止位置から本係止位置にスペーサを端子収容室へ挿入することにより、スペーサのランスが端子の回転方向姿勢制御部を押圧し、係合凸部と係合凹部とが正規に係合する位置まで端子を回転させる。
【先行技術文献】
【特許文献】
【０００５】
【特許文献１】特開２０１１−２２８１４３号公報
【発明の概要】
【発明が解決しようとする課題】
【０００６】
ところで、上記特許文献１のようなコネクタでは、スペーサの端子収容室への挿入によって端子を回転させているが、コネクタの小型化や端子の多極化に伴い、小型化された１つのスペーサで複数の端子を同時に正規位置まで回転させる回転力を得ることが困難であった。
【０００７】
加えて、小型化されたコネクタにおいて、端子を正規位置まで回転させる回転力を得るために、スペーサの挿入力を無理に大きくしてしまうと、スペーサのランスに押圧される端子の回転方向姿勢制御部に変形を生じる恐れがあった。
【０００８】
そこで、この発明は、無理なく確実に端子を回転させ、端子を係止ランスに確実に係止させることができるコネクタの提供を目的としている。
【課題を解決するための手段】
【０００９】
請求項１記載の発明は、端子収容室と、この端子収容室の挿入開口から内部に挿入された円筒状の接続部を有する端子と、前記端子収容室内に撓み可能に設けられ前記端子の円筒状の前記接続部を係止した係止ランスとを備えたコネクタであって、前記端子には、円筒状の前記接続部の中心に対して点対称の位置にそれぞれ前記係止ランスに係合可能な一対の係止突起が設けられ、前記端子収容室には、前記挿入開口の中心と前記係止ランスとを通る中心線の両側に線対称に設けられ、前記挿入開口側から前記係止ランス側に向けて傾斜する一対のガイドレールが設けられていることを特徴とする。
【００１０】
このコネクタでは、端子収容室に、挿入開口の中心と係止ランスとを通る中心線の両側に線対称に設けられ、挿入開口側から係止ランス側に向けて傾斜する一対のガイドレールが設けられているので、端子の端子収容室への挿入時に、少なくとも一方のガイドレールが端子の係止突起と当接する。
【００１１】
この状態から端子を端子収容室の正規位置まで挿入する間に、係止突起とガイドレールとの摺動によりガイドレールの傾斜に沿って端子が回転しながら挿入され、係止突起が係止ランスに導かれ、係止突起を係止ランスに確実に係止させることができる。
【００１２】
従って、このようなコネクタでは、確実に係止突起とガイドレールとを当接でき、端子の端子収容室への挿入力で係止突起とガイドレールとを摺動させて端子を回転させることができるので、無理なく確実に端子を回転させ、端子を係止ランスに確実に係止させることができる。
【００１３】
請求項２記載の発明は、請求項１記載のコネクタであって、前記一対のガイドレールは、それぞれ前記中心線と直交する交差線の両側に線対称に設けられ、前記ガイドレールには、前記交差線の両側に位置するそれぞれの前記挿入開口側の端部が前記交差線上で交わる拾い部が設けられていることを特徴とする。
【００１４】
このコネクタでは、一対のガイドレールが、それぞれ中心線と直交する交差線の両側に線対称に設けられているので、一対の係止突起と一対のガイドレールとをそれぞれ当接させることができ、さらに安定して端子を回転させることができる。
【００１５】
また、ガイドレールには、交差線の両側に位置するそれぞれの挿入開口側の端部が交差線上で交わる拾い部が設けられているので、拾い部によって係止突起を確実にガイドレールに導くことができる。
【００１６】
請求項３記載の発明は、請求項２記載のコネクタであって、前記一対のガイドレールは、前記挿入開口の中心に対して前記拾い部から前記係止ランス側に向けて前記端子収容室内を狭めるように傾斜されていることを特徴とする。
【００１７】
このコネクタでは、一対のガイドレールが、挿入開口の中心に対して拾い部から係止ランス側に向けて端子収容室内を狭めるように傾斜されているので、円筒状の接続部の中心と挿入開口の中心との位置がずれて端子が端子収容室に収容されても、一対のガイドレールによって円筒状の接続部の中心と挿入開口の中心との位置を合わせるように端子収容室に対する端子の挿入姿勢を補正することができる。
【００１８】
請求項４記載の発明は、請求項２又は３記載のコネクタであって、前記端子収容室には、前記係止ランスと前記挿入開口の中心に対して点対称の位置に前記端子の係止突起と係合可能なガイド溝が設けられ、前記一対のガイドレールは、それぞれ前記ガイド溝に連続して設けられていることを特徴とする。
【００１９】
このコネクタでは、一対のガイドレールが、それぞれガイド溝に連続して設けられているので、端子の端子収容室への挿入動作で、係止突起をガイドレールからガイド溝まで連続してスムーズに導くことができる。
【００２０】
請求項５記載の発明は、請求項２乃至４のいずれか１項に記載のコネクタであって、前記一対のガイドレールの前記拾い部は、前記端子の前記端子収容室への挿入方向に対する位置が異なって配置されていることを特徴とする。
【００２１】
このコネクタでは、一対のガイドレールの拾い部が、端子の端子収容室への挿入方向に対する位置が異なって配置されているので、端子の挿入開始時に、いずれか一方の拾い部と係止突起とが当接し、他方の拾い部と係止突起とが当接することがなく、一対の係止突起が両方の拾い部に同時に当接して端子の回転が阻止されることを防止することができる。
【００２２】
請求項６記載の発明は、請求項１乃至５のいずれか１項に記載のコネクタであって、前記端子収容室には、前記端子の前記係止ランスに係止された位置から前記端子収容室への挿入方向の移動を規制する規制部が設けられていることを特徴とする。
【００２３】
このコネクタでは、端子収容室に、端子の係止ランスに係止された位置から端子収容室への挿入方向の移動を規制する規制部が設けられているので、端子が端子収容室から突き出ることがなく、端子を端子収容室の正規位置に保持することができる。
【００２４】
請求項７記載の発明は、請求項１乃至６のいずれか１項に記載のコネクタであって、前記端子は、前記端子収容室の前記挿入開口から引き出される電線の端末部に設けられ、前記端子収容室の前記挿入開口側は、前記端子の前記一対の係止突起間の長さより広く形成されていることを特徴とする。
【００２５】
このコネクタでは、端子収容室の挿入開口側が、端子の一対の係止突起間の長さより広く形成されているので、端子が太い電線の端末部に設けられている場合でも、端子を端子収容室に収容して電線を挿入開口から引き出すことができる。
【発明の効果】
【００２６】
本発明によれば、無理なく確実に端子を回転させ、端子を係止ランスに確実に係止させることができるコネクタを提供することができるという効果を奏する。
【図面の簡単な説明】
【００２７】
【図１】本発明の実施の形態に係るコネクタのハウジングの斜視図である。
【図２】本発明の実施の形態に係るコネクタの分解斜視図である。
【図３】本発明の実施の形態に係るコネクタの断面図である。
【図４】本発明の実施の形態に係るコネクタの端子と電線の側面図である。
【図５】本発明の実施の形態に係るコネクタの端子収容室の正面図である。
【図６】図５のＡ−Ａ断面図である。
【図７】図５のＢ−Ｂ断面図である。
【図８】図５のＣ−Ｃ断面図である。
【図９】図５のＤ−Ｄ断面図である。
【図１０】本発明の実施の形態に係るコネクタの端子収容室に端子を正規位置から回転させて挿入したときの斜視図である。
【図１１】図１０の正面図である。
【発明を実施するための形態】
【００２８】
図１〜図１２を用いて本発明の実施の形態に係るコネクタについて説明する。
【００２９】
本実施の形態に係るコネクタ１は、端子収容室３と、この端子収容室３の挿入開口５から内部に挿入された円筒状の接続部７を有する端子９と、端子収容室３内に撓み可能に設けられ端子９の円筒状の接続部７を係止した係止ランス１１とを備えている。
【００３０】
また、端子９には、円筒状の接続部７の中心に対して点対称の位置にそれぞれ係止ランス１１に係合可能な一対の係止突起１３，１３が設けられている。
【００３１】
そして、端子収容室３には、挿入開口５の中心と係止ランス１１とを通る中心線Ｌ１の両側に線対称に設けられ、挿入開口５側から係止ランス１１側に向けて傾斜する一対のガイドレール１５，１７が設けられている。
【００３２】
また、一対のガイドレール１５，１７は、それぞれ中心線Ｌ１と直交する交差線Ｌ２の両側に線対称に設けられ、ガイドレール１５，１７には、交差線の両側に位置するそれぞれの挿入開口５側の端部が交差線Ｌ２上で交わる拾い部１９が設けられている。
【００３３】
また、一対のガイドレール１５，１７は、挿入開口５の中心に対して拾い部１９，１９から係止ランス１１側に向けて端子収容室３内を狭めるように傾斜されている。
【００３４】
さらに、端子収容室３には、係止ランス１１と挿入開口５の中心に対して点対称の位置に端子９の係止突起１３と係合可能なガイド溝２１が設けられ、一対のガイドレール１５，１７は、それぞれガイド溝２１に連続して設けられている。
【００３５】
また、一対のガイドレール１５，１７の拾い部１９，１９は、端子９の端子収容室３への挿入方向に対する位置が異なって配置されている。
【００３６】
さらに、端子収容室３には、端子９の係止ランス１１に係止された位置から端子収容室３への挿入方向の移動を規制する規制部２３が設けられている。
【００３７】
また、端子９は、端子収容室３の挿入開口５から引き出される電線２５の端末部に設けられ、端子収容室３の挿入開口５側は、端子９の一対の係止突起１３，１３間の長さより広く形成されている。
【００３８】
図１〜図１２に示すように、コネクタ１は、合成樹脂などの絶縁性材料からなるハウジング２７を有し、このハウジング２７には複数の端子収容室３が設けられている。
【００３９】
端子収容室３は、長さ方向の一端側が端子９を内部に挿入させる挿入開口５となっており、長さ方向の他端側が内部に収容された端子９に接続される雄型の相手端子（不図示）のタブ状の接続部が挿入される開口となっている。
【００４０】
この端子収容室３の挿入開口５は、端末部に端子９が設けられた電線２５が外部に引き出され、この端子収容室３の挿入開口５側は、後述する端子９の一対の係止突起１３，１３間の長さより広く形成されている。
【００４１】
このように端子収容室３の挿入開口５側を形成することにより、図３の仮想線で示すように、端子９が太い電線２５の端末部に接続されている場合であっても、端子９を端子収容室３に収容することができ、挿入開口５から太い電線２５を引き出すことができる。
【００４２】
このような端子収容室３が複数設けられたハウジング２７は、相手端子を収容する相手ハウジング（不図示）と嵌合可能となっており、相手ハウジングと嵌合することにより端子収容室３内に収容された端子９と相手端子とが電気的に接続される。
【００４３】
端子９は、導電性材料からなる１枚の板材に対して、打ち抜き加工や折り曲げ加工などを施すことによって、電線圧着部２９と、接続部７とが連続する一部材で形成されている。
【００４４】
電線圧着部２９は、被覆圧着部３１と、芯線圧着部３３とを備えている。
【００４５】
被覆圧着部３１は、一対の加締め片からなり、電源や機器などに接続された電線２５の端末部において、電線２５の被覆部を加締める。
【００４６】
この被覆圧着部３１を電線２５の被覆部に加締めることにより、端子９が電線２５に固定される。
【００４７】
芯線圧着部３３は、接続部７と被覆圧着部３１との間に設けられた一対の圧着片からなり、電線２５の端末部において、電線２５の被覆部から露出された芯線部を加締めて圧着される。
【００４８】
この芯線圧着部３３を電線２５の芯線部に圧着させることにより、端子９が電線２５に電気的に接続される。
【００４９】
接続部７は、底壁が電線圧着部２９と連続する一部材で形成され、底壁から立ち上がる両側壁を湾曲させ、それぞれの端部で上壁をなすように折り曲げ加工によって円筒状に形成された雌型の接続部からなる。
【００５０】
この接続部７には、内部に接続部７と連続する一部材で所定の付勢力を有するように弾性変形可能に接点部３５を有する弾性片３７が設けられている。
【００５１】
また、弾性片３７と対向する壁部には、相手端子のタブ状の接続部を弾性片３７の接点部３５とで挟み込む補助接点部３９，３９が設けられている。
【００５２】
このような接続部７には、長さ方向の一端側に開口が設けられ、この開口から内部に相手端子のタブ状の接続部が挿入され、弾性片３７の付勢力によって接点部３５と補助接点部３９，３９とがタブ状の接続部と接触することにより、端子９と相手端子とが電気的に接続される。
【００５３】
一方、接続部７の外周には、円筒状の接続部７の中心に対して点対称の位置に、係止ランス１１と係合可能な一対の係止突起１３，１３が、それぞれ接続部７の外周から外方に向けて突設されている。
【００５４】
このような円筒状の接続部７を有する端子９は、端子収容室３の挿入開口５から端子収容室３内に挿入され、端子収容室３内に設けられた係止ランス１１に一対の係止突起１３，１３のいずれか一方が係止されることにより、端子収容室３からの抜け止めがなされる。
【００５５】
係止ランス１１は、基端側が端子収容室３の底壁と連続する一部材で形成され、自由端側が端子収容室３の内部に向けて傾斜しタブ状の接続部が挿入される開口側に配置され、端子収容室３内の上下方向に撓み可能に設けられている。
【００５６】
この係止ランス１１の自由端側には、係合部４１が設けられ、端子収容室３内に収容された端子９の一対の係止突起１３，１３のいずれか一方と係合部４１とが係合することにより、端子９が端子収容室３内に係止される。
【００５７】
一方、端子収容室３の係止ランス１１と挿入開口５の中心に対して点対称に位置する部分には、端子９の一対の係止突起１３，１３と係合可能なガイド溝２１が設けられている。
【００５８】
このガイド溝２１は、係止ランス１１の係合部４１より挿入開口５側から係合部４１を超えて端子収容室３の長さ方向に沿って設けられており、端子９を端子収容室３に挿入したときに、端子９の一対の係止突起１３，１３の係止ランス１１と係合しない他方と係合する。
【００５９】
このようにガイド溝２１と一対の係止突起１３，１３の他方とを係合させることにより、一対の係止突起１３，１３の一方を係止ランス１１の係合部４１に導くことができ、係止突起１３，１３と係止ランス１１とを確実に係合させることができる。
【００６０】
ここで、端子収容室３のタブ状の接続部が挿入される開口は、ハウジング２７に組付けられるフロントホルダ４３に形成されている。
【００６１】
このフロントホルダ４３には、係止ランス１１の下方に位置する空間に挿入される規制部４５が設けられている。
【００６２】
この規制部４５は、端子９を端子収容室３に挿入させる場合、フロントホルダ４３がハウジング２７に対して仮係止状態となっており、係止ランス１１の下方に位置する空間に挿入されず、係止ランス１１が撓み可能となって係止ランス１１が端子９を係止することができる。
【００６３】
一方、規制部４５は、端子９を端子収容室３に収容させた後、フロントホルダ４３をハウジング２７に対して本係止状態とさせることにより、係止ランス１１の下方に位置する空間に挿入され、係止ランス１１が撓み不能となって係止ランス１１による端子９の係止が解除されることを防止する。
【００６４】
このようなコネクタ１では、端子９の接続部７が円筒状に形成されているので、単純に端子９を端子収容室３へ挿入しただけでは端子９の一対の係止突起１３，１３と係止ランス１１との位置が合っていない場合が多く、一対の係止突起１３，１３と係止ランス１１の係合部４１とを係合できない可能性がある。
【００６５】
このため、一対の係止突起１３，１３と係止ランス１１との位置が合うように、端子９を端子収容室３内で回転させ、一対の係止突起１３，１３のいずれか一方と係止ランス１１の係合部４１とを確実に係合させる必要がある。
【００６６】
そこで、端子収容室３には、一対のガイドレール１５，１７が設けられている。
【００６７】
一対のガイドレール１５，１７は、挿入開口５の中心と係止ランス１１とを通る中心線Ｌ１に対して中心線Ｌ１の両側に線対称となるように設けられている。
【００６８】
この一対のガイドレール１５，１７は、それぞれランス側ガイド部４７と、溝側ガイド部４９と、拾い部１９とを有している。
【００６９】
ランス側ガイド部４７は、一端側が挿入開口５側で挿入開口５の中心線Ｌ１と直交する交差線Ｌ２上に位置され、他端側が係止ランス１１に位置され、挿入開口５側から係止ランス１１側に向けて傾斜されている。
【００７０】
このランス側ガイド部４７は、端子９を端子収容室３に挿入するとき、挿入開口５側の端部側が端子９の一対の係止突起１３，１３のいずれか一方と当接する。
【００７１】
この状態から端子９を端子収容室３にさらに挿入すると、一方の係止突起１３がランス側ガイド部４７の傾斜に沿って摺動しながら端子９を回転させ、一方の係止突起１３を係止ランス１１に導き、一方の係止突起１３を係止ランス１１の係合部４１に確実に係合させることができる。
【００７２】
このようなランス側ガイド部４７は、一対のガイドレール１５，１７に中心線Ｌ１に対して線対称にそれぞれ設けられているので、端子９を端子収容室３に挿入するとき、端子９がどのような姿勢であっても、一対のガイドレール１５，１７のランス側ガイド部４７，４７のいずれか一方に一対の係止突起１３，１３のいずれか一方を必ず当接することができる。
【００７３】
このため、一対のガイドレール１５，１７のランス側ガイド部４７，４７によって、確実に端子９を回転させることができ、一対の係止突起１３，１３のいずれか一方を確実に係止ランス１１の係合部４１に係合させることができる。
【００７４】
溝側ガイド部４９は、中心線Ｌ１と直交する交差線Ｌ２に対して交差線Ｌ２のランス側ガイド部４７の反対側にランス側ガイド部４７と線対称となるように設けられている。
【００７５】
この溝側ガイド部４９は、一端側が挿入開口５側で挿入開口５の中心線Ｌ１と直交する交差線Ｌ２上に位置され、他端側がガイド溝２１に位置され、挿入開口５側からガイド溝２１側に向けて傾斜されている。
【００７６】
このような溝側ガイド部４９は、端子９を端子収容室３に挿入するとき、挿入開口５側の端部側が端子９の一対の係止突起１３，１３のうちランス側ガイド部４７と当接していない他方と当接する。
【００７７】
この状態から端子９を端子収容室３にさらに挿入すると、他方の係止突起１３が溝側ガイド部４９の傾斜に沿って摺動しながら端子９を回転させ、他方の係止突起１３をガイド溝２１に導き、他方の係止突起１３をガイド溝２１に確実に係合させることができる。
【００７８】
このとき、一方の係止突起１３は、ランス側ガイド部４７の傾斜に沿って摺動しながら端子９を回転させるので、ランス側ガイド部４７と溝側ガイド部４９と一対の係止突起１３，１３との摺動により大きな端子９の回転力を得ることができ、確実に端子９を端子収容室３内で回転させることができる。
【００７９】
このような溝側ガイド部４９は、一対のガイドレール１５，１７に中心線Ｌ１に対して線対称にそれぞれ設けられているので、端子９を端子収容室３に挿入するとき、端子９がどのような姿勢であっても、一対のガイドレール１５，１７の溝側ガイド部４９，４９のいずれか一方に一対の係止突起１３，１３の他方を必ず当接することができる。
【００８０】
このため、一対のガイドレール１５，１７の溝側ガイド部４９，４９によって、確実に端子９を回転させることができ、一対の係止突起１３，１３の他方を確実にガイド溝２１に係合させることができる。
【００８１】
ここで、溝側ガイド部４９のガイド溝２１側は、ガイド溝２１を構成する壁部と連続する一部材で形成されている。
【００８２】
このように溝側ガイド部４９とガイド溝２１とを連続して設けることにより、一対の係止突起１３，１３の他方と溝側ガイド部４９との摺動による端子９の回転しながらの移動から、一対の係止突起１３，１３の他方とガイド溝２１との係合による端子９の直線的な移動に、連続してスムーズに移行することができる。
【００８３】
このように一対のガイドレール１５，１７をランス側ガイド部４７と溝側ガイド部４９とで構成することにより、一対の係止突起１３，１３が、係止ランス１１とガイド溝２１と一致している場合を除き、挿入開口５の周方向のどの位置に位置していても、一対のガイドレール１５，１７と一対の係止突起１３，１３とを当接させることができ、確実に端子９を回転させることができる。
【００８４】
しかも、端子９の端子収容室３内での回転は、端子９の端子収容室３への挿入における一対のガイドレール１５，１７と一対の係止突起１３，１３との摺動によって得ることができるので、大きな挿入力を必要とせず、一対の係止突起１３，１３にも大きな負荷がかかることがなく、端子９の変形を防止することができる。
【００８５】
拾い部１９は、ランス側ガイド部４７と溝側ガイド部４９とのそれぞれの挿入開口５側の端部が、中心線Ｌ１と直交する交差線Ｌ２上で交わる部分となっている。
【００８６】
このように一対のガイドレール１５，１７に拾い部１９，１９を設けることにより、端子９を端子収容室３に挿入するときに、端子９の一対の係止突起１３，１３を拾い部１９，１９からランス側ガイド部４７と溝側ガイド部４９とに導くことができ、安定して端子９を回転させることができる。
【００８７】
ここで、一対のガイドレール１５，１７の拾い部１９，１９が、端子９の端子収容室３への挿入方向の同一位置に位置している場合、端子９の一対の係止突起１３，１３が交差線Ｌ２上に位置した状態で、端子９が端子収容室３に挿入されると、一対の係止突起１３，１３と拾い部１９，１９とが同時に当接してしまい、端子９が回転できない恐れがある。
【００８８】
そこで、一対のガイドレール１５，１７の拾い部１９，１９は、端子９の端子収容室３への挿入方向に対する位置が異なるように配置されている。詳細には、ガイドレール１５の拾い部１９は、ガイドレール１７の拾い部１９より挿入開口５側に位置されている。
【００８９】
このように一対のガイドレール１５，１７の拾い部１９，１９を配置することにより、端子９を端子収容室３に挿入したときに、まず、ガイドレール１５の拾い部１９と一対の係止突起１３，１３のいずれか一方が当接し、端子９が回転を開始する。
【００９０】
このため、ガイドレール１７の拾い部１９に一対の係止突起１３，１３の他方が到達するときには、端子９が回転しているので、ガイドレール１７の拾い部１９と一対の係止突起１３，１３の他方とが当接することがなく、端子９の回転が阻止されることがない。
【００９１】
ここで、ランス側ガイド部４７と溝側ガイド部４９とからなり、拾い部１９を有する一対のガイドレール１５，１７は、挿入開口５の中心に対して拾い部１９，１９から係止ランス１１側に向けて端子収容室３内を狭めるように傾斜されている。
【００９２】
すなわち、一対のガイドレール１５，１７を構成するランス側ガイド部４７と溝側ガイド部４９とは、挿入開口５の中心を定点として、端子収容室５の内径を、挿入開口５側から係止ランス１１及びガイド溝２１側に向けて徐々に小さくするように傾斜されている。
【００９３】
このように一対のガイドレール１５，１７を傾斜させることにより、端子９の円筒状の接続部７の中心が挿入開口５の中心に対してずれるように、端子９が端子収容室３に挿入された場合、端子９が一対のガイドレール１５，１７と摺動することによって、接続部７の中心が挿入開口５の中心と位置を合わせるように端子９が端子収容室３内に挿入される。
【００９４】
このため、端子９が端子収容室３内に完全に挿入された位置、すなわち端子９が係止ランス１１に係止された位置では、端子収容室３内で端子９が傾いて収容されていることがなく、端子９と相手端子とを安定して接続することができる。
【００９５】
ここで、端子収容室３のガイド溝２１の端部には、ガイド溝２１の端部を閉塞する壁部からなり、端子９の係止ランス１１に係止された位置から端子収容室３への挿入方向の移動を規制する規制部２３が設けられている。
【００９６】
このように端子収容室３に規制部２３を設けることにより、端子９を端子収容室３へ過剰に挿入したとしても、一対の係止突起１３，１３の他方と規制部２３とが当接して端子９が端子収容室３から突き出ることを防止でき、端子９を端子収容室３の正規位置に配置することができる。
【００９７】
なお、規制部２３と対向する係止ランス１１側にも、段差状に形成されたランス側規制部５１が設けられ、このランス側規制部５１は、一対の係止突起１３，１３の一方と当接可能に位置しており、端子９が端子収容室３から突き出ることを防止している。
【００９８】
このようなコネクタ１では、端子収容室３に、挿入開口５の中心と係止ランス１１とを通る中心線Ｌ１の両側に線対称に設けられ、挿入開口５側から係止ランス１１側に向けて傾斜する一対のガイドレール１５，１７が設けられているので、端子９の端子収容室３への挿入時に、少なくとも一方のガイドレール１５，１７が端子９の係止突起１３と当接する。
【００９９】
この状態から端子９を端子収容室３の正規位置まで挿入する間に、係止突起１３とガイドレール１５，１７との摺動によりガイドレール１５，１７の傾斜に沿って端子９が回転しながら挿入され、係止突起１３が係止ランス１１に導かれ、係止突起１３を係止ランス１１に確実に係止させることができる。
【０１００】
従って、このようなコネクタ１では、確実に係止突起１３とガイドレール１５，１７とを当接でき、端子９の端子収容室３への挿入力で係止突起１３とガイドレール１５，１７とを摺動させて端子９を回転させることができるので、無理なく確実に端子９を回転させ、端子９を係止ランス１１に確実に係止させることができる。
【０１０１】
また、一対のガイドレール１５，１７は、それぞれ中心線Ｌ１と直交する交差線Ｌ２の両側に線対称に設けられているので、一対の係止突起１３，１３と一対のガイドレール１５，１７とをそれぞれ当接させることができ、さらに安定して端子９を回転させることができる。
【０１０２】
さらに、ガイドレール１５，１７には、交差線Ｌ２の両側に位置するそれぞれの挿入開口５側の端部が交差線Ｌ２上で交わる拾い部１９が設けられているので、拾い部１９によって係止突起１３を確実にガイドレール１５，１７に導くことができる。
【０１０３】
また、一対のガイドレール１５，１７は、挿入開口５の中心に対して拾い部１９，１９から係止ランス１１側に向けて端子収容室３内を狭めるように傾斜されているので、円筒状の接続部７の中心と挿入開口５の中心との位置がずれて端子９が端子収容室３に収容されても、一対のガイドレール１５，１７によって円筒状の接続部７の中心と挿入開口５の中心との位置を合わせるように端子収容室３に対する端子９の挿入姿勢を補正することができる。
【０１０４】
また、一対のガイドレール１５，１７は、それぞれガイド溝２１に連続して設けられているので、端子９の端子収容室３への挿入動作で、係止突起１３をガイドレール１５，１７からガイド溝２１まで連続してスムーズに導くことができる。
【０１０５】
さらに、一対のガイドレール１５，１７の拾い部１９，１９は、端子９の端子収容室３への挿入方向に対する位置が異なって配置されているので、端子９の挿入開始時に、いずれか一方の拾い部１９と係止突起１３とが当接し、他方の拾い部１９と係止突起１３とが当接することがなく、一対の係止突起１３，１３が両方の拾い部１９，１９に同時に当接して端子９の回転が阻止されることを防止することができる。
【０１０６】
また、端子収容室３には、端子９の係止ランス１１に係止された位置から端子収容室３への挿入方向の移動を規制する規制部２３が設けられているので、端子９が端子収容室３から突き出ることがなく、端子９を端子収容室３の正規位置に保持することができる。
【０１０７】
さらに、端子収容室３の挿入開口５側は、端子９の一対の係止突起１３，１３間の長さより広く形成されているので、端子９が太い電線２５の端末部に設けられている場合でも、端子９を端子収容室３に収容して太い電線２５を挿入開口５から引き出すことができる。
【０１０８】
なお、本実施の形態に係るコネクタでは、ハウジングにフロントホルダを組付け、端子収容室の相手端子が挿入される開口を形成させているが、これに限らず、ハウジングにフロントホルダを組付けずに、端子収容室に相手端子が挿入される開口を形成させてもよい。
【０１０９】
また、規制部は、ガイド溝に設けられているが、これに限らず、例えば、端子の接続部の端面と当接可能な位置に規制部を設けるなど、端子が端子収容室から突き出ることを防止できる位置であれば、規制部を端子収容室のどの部分に設けてもよい。
【符号の説明】
【０１１０】
１…コネクタ
３…端子収容室
５…挿入開口
７…接続部
９…端子
１１…係止ランス
１３…係止突起
Ｌ１…中心線
１５，１７…ガイドレール
Ｌ２…交差線
１９…拾い部
２１…ガイド溝
２３…規制部
２５…電線
【図１】
0006691446.tif 000002
【図２】
0006691446.tif 000003
【図３】
0006691446.tif 000004
【図４】
0006691446.tif 000005
【図５】
0006691446.tif 000006
【図６】
0006691446.tif 000007
【図７】
0006691446.tif 000008
【図８】
0006691446.tif 000009
【図９】
0006691446.tif 000010
【図１０】
0006691446.tif 000011
【図１１】
0006691446.tif 000012